(57)【要約】【課題】低背化されたモジュラージャックを提供する。【解決手段】ジャック１０を第１プリント基板１ｐに実装された第１ベースコネクタ１と、第１ベースコネクタ１とスライド可能に連結すると共に、第１上部ハウジング５を起伏させる平行クランク機構を先端部側に有する第１ソケットコネクタ３で構成する。第１上部ハウジング５を第１ソケットコネクタ３の前方に倒伏した状態では、第１ソケットコネクタ３を第１筐体ｆ１の内部に収容可能とし、第１上部ハウジング５、第１ソケットハウジング３ｈ、及び第１ベースハウジング１ｈのこれらの両面が平坦に形成されるので、ジャック１０を低背化できる。第１上部ハウジング５を第１筐体ｆ１の側面から引き出して、第１上部ハウジング５を第１筐体ｆ１の外部に起立させた状態では、プラグ９１を電気的に接続できるように第１ソケットコネクタ３を構成する。【選択図】図２
2014060007.tif 000002
【特許請求の範囲】
【請求項１】
外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、
側面に矩形の第１開口を有する平坦な第１筐体の内部に配置された第１プリント基板に実装され、前記第１開口に臨んで切り欠かれた第１スロットに側壁が保持された第１ベースコネクタと、
前記第１ベースコネクタとスライド可能に連結すると共に、前記ロックレバーに係止可能な第１上部ハウジングを起伏させる平行クランク機構を先端部側に有する第１ソケットコネクタと、を備え、
前記第１ベースコネクタは、
前記第１スロットの奥側に配置された略矩形の第１コンタクト配列部、及び、この第１コンタクト配列部から前記第１開口に向かって延びる一対の対向するガイドアームを設けた板状の第１ベースハウジングと、
先端部が前記第１コンタクト配列部から一対の前記ガイドアームの間に突出し、中間部が前記第１コンタクト配列部に固定され、基端部が前記ガイドアームと反対側に突出して前記第１プリント基板にハンダ接合される複数の板ばね状の第１コンタクトと、を有し、
前記第１ソケットコネクタは、
基端部側に配置され、前記第１コンタクト配列部と重なり合うように前記第１コンタクト配列部と嵌合した略矩形の第２コンタクト配列部、及び、先端部側に配置され、両側面が一対の前記ガイドアームの内壁に案内されると共に、前記平行クランク機構を構成する一対一組のリンク板の一端部側を回動自在に連結した略矩形の基部を設けた板状の第１ソケットハウジングと、
前記第２コンタクト配列部に配列され、前記第１コンタクトの先端部がスライド可能に接触すると共に、前記相手側コンタクトに接続可能な屈曲部を先端部に設けた複数の板ばね状の第２コンタクトと、を有し、
前記第１上部ハウジングを前記第１ソケットハウジングの前方に倒伏した状態では、前記第１上部ハウジングの前面が前記第１開口を塞ぐように、前記第１ソケットコネクタを前記第１筐体の内部に収容可能とし、
前記第１上部ハウジングを前記第１開口から引き出して、前記第１上部ハウジングを前記第１筐体の外部に起立させた状態では、前記モジュラープラグを電気的に接続可能なモジュラージャック。
【請求項２】
外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、
側面に矩形の第２開口を有する平坦な第２筐体の内部に配置された第２プリント基板に実装され、前記第２開口に臨んで切り欠かれた第２スロットに側壁が保持された第２ベースコネクタと、
前記第２ベースコネクタとスライド可能に連結すると共に、前記ロックレバーに係止可能な第２上部ハウジングを起伏させる平行クランク機構を先端部側に有する第２ソケットコネクタと、を備え、
前記第２ベースコネクタは、
一対の対向する第１側壁及びこれらの第１側壁の一端部側を連結する第２側壁で囲われた略矩形の凹部、及び、この凹部の底壁に形成された第３コンタクト配列部を設けた矩形板状の第２ベースハウジングと、
先端部が前記凹部の底壁から突出し、中間部が前記第３コンタクト配列部に固定され、基端部が前記第２ベースハウジングの第２側壁の外部に突出して前記第２プリント基板にハンダ接合される複数の板ばね状の第３コンタクトと、を有し、
前記第２ソケットコネクタは、
中央部に配置され、前記第３コンタクト配列部と重なり合うように前記第３コンタクト配列部と対向した第４コンタクト配列部、及び、前記平行クランク機構を構成する一対一組のリンク板の一端部側を回動自在に連結した連結部を設け、両側面が一対の前記第１側壁の内壁に案内されると共に、前記第２ベースハウジングの凹部に収容されるように配置された板状の第２ソケットハウジングと、
前記第４コンタクト配列部に配列され、前記第３コンタクトの先端部がスライド可能に接触すると共に、前記相手側コンタクトに接続可能な屈曲部を先端部に設けた複数の板ばね状の第４コンタクトと、を有し、
前記第２上部ハウジングを前記第２ソケットハウジングの前方に倒伏した状態では、前記第２上部ハウジングの前面が前記第２開口を塞ぐように、前記第２ソケットコネクタを前記第２筐体の内部に収容可能とし、
前記第２上部ハウジングを前記第２開口から引き出して、前記第２上部ハウジングを前記第２筐体の外部に起立させた状態では、前記モジュラープラグを電気的に接続可能なモジュラージャック。
【請求項３】
一対一組の前記リンク板の内、一方の一対のリンク板は、前記プラグハウジングの一方の側面に隣接する一対の第３の側面を案内する案内片を有する請求項１又は２記載のモジュラージャック。
【請求項４】
一対の前記ガイドアームは、互いに対向し、かつ、前記第１コンタクト配列部から一対の前記ガイドアームの他端に至る第１溝を有し、
前記第１ソケットハウジングは、相反する向きに突出し、前記第１溝に案内される一対の第１突片を前記基部の両翼に有し、
前記第１溝は、前記第１突片に係止して前記第１ベースハウジングに対する前記第１ソケットハウジングの収納状態を拘束する第１停止突起と、前記第１突片に係止して前記第１ベースハウジングに対する前記第１ソケットハウジングの引き出し状態を拘束する第２停止突起と、を底面から突出している請求項１記載のモジュラージャック。
【請求項５】
一対の前記第１側壁は、互いに対向し、かつ、前記第２側壁から一対の前記第１側壁の他端に至る第２溝を有し、
前記第２ソケットハウジングは、相反する向きに突出し、前記第２溝に案内される一対の第２突片を両翼に有し、
前記第２溝は、前記第２突片に係止して前記第２ベースハウジングに対する前記第２ソケットハウジングの収納状態を拘束する第３停止突起と、前記第２突片に係止して前記第２ベースハウジングに対する前記第２ソケットハウジングの引き出し状態を拘束する第４停止突起と、を底面から突出している請求項２記載のモジュラージャック。
【発明の詳細な説明】
【技術分野】
【０００１】
本発明は、モジュラージャックに関する。特に、ＬＡＮ（ｌｏｃａｌ  ａｒｅａ  ｎｅｔｗｏｒｋ）用のモジュラープラグが接続されるモジュラージャックであって、ノート形パソコンなどの電子機器にコンパクトに実装して、電子機器を低背化できるモジュラージャックの構造に関する。
【背景技術】
【０００２】
ノート形パソコンなどの電子機器は、ＬＡＮに接続するためのＬＡＮ用のモジュラージャックを本体の側面又は背面などに配置している。ＬＡＮ用のモジュラープラグとしては、８ピンのコンタクトを有する「ＲＪ４５」プラグが普及している。したがって、ノート形パソコンなどの電子機器の多くは、ＬＡＮ用のモジュラージャックとして、「ＲＪ４５」ジャックを採用している。
【０００３】
上述したようなモジュラージャックは、近年では、プリント基板に実装され、ノート形パソコンなどの電子機器に装着されている。しかし、従来技術によるモジュラージャックは、そのジャックの厚さが大きいので、ノート形パソコンに装着した場合に、ノート形パソコンの厚さを大きくするという不具合があった。
【０００４】
上述した不具合を解消するため、一方の端部に開口した挿入開口にプラグを差し込んで、プラグと電気的に接続できるジャックであって、挿入開口に連設して上面が開口したプラグ収容室を有する直方体状のハウジングと、ハウジングの一方の側面を開閉するカバーハウジングとを備え、カバーハウジングを閉じて、ジャックの高さを低くした状態から、カバーハウジングを開いて挿入開口を広げ、プラグの差し込みを可能としたモジュラージャックが開示されている（例えば、特許文献１参照）。
【０００５】
特許文献１によるモジュラージャックは、プラグをジャックの挿入開口から引き抜いてカバーハウジングをハウジング側に没入させることにより、ジャックの高さを低くすることができる、としている。
【先行技術文献】
【特許文献】
【０００６】
【特許文献１】特開２０００−９２１５９号公報
【発明の概要】
【発明が解決しようとする課題】
【０００７】
図３１は、特許文献１によるモジュラージャックの斜視図であり、モジュラープラグを対向配置した状態図である。図３２は、特許文献１によるモジュラージャックの縦断面図であり、モジュラープラグを対向配置した状態図である。本願の図３１は、特許文献１の図１に相当し、本願の図３２は、特許文献１の図２に相当している。
【０００８】
図３１又は図３２を参照すると、特許文献１によるモジュラージャック（以下、ジャックと略称する）８０は、直方体状のハウジング８１とカバーハウジング８２を備えている。ハウジング８１は、前面に挿入開口８１１を開口すると共に、挿入開口８１１に連設して上面が開口したプラグ収容室８１ａを有している。又、ハウジング８１は、一対の軸受部８１２・８１２を上方に向けて後端部から突出している。
【０００９】
図３１又は図３２を参照すると、カバーハウジング８２は、挿入開口８１１の一部を形成するように前面を開口すると共に、ハウジング８１の上面を覆っている。又、カバーハウジング８２は、軸受部８１２に開口された貫通穴に回転可能に保持される軸ピン８２２を後端部から突出している。これにより、一対の軸ピン８２２・８２２を回転中心として、カバーハウジング８２を開閉できる。
【００１０】
図３１又は図３２を参照すると、カバーハウジング８２は、相反する向きに突出する一対の突起部８２３・８２３を前端部に有している。一方、ハウジング８１は、これらの突起部８２３・８２３に嵌合可能な一対の凹部８１３・８１３を内側壁に形成している。ハウジング８１に対して、カバーハウジング８２を閉じると、突起部８２３が凹部８１３に嵌合して、カバーハウジング８２をロック（係止）できる。
【００１１】
図３１又は図３２を参照して、プラグ９０とジャック８０を電気的に接続する場合は、カバーハウジング８２の先端部を持ち上げて、挿入開口８１１を拡げる（図３１の想像線を参照）。次に、プラグ９０を挿入開口８１１からプラグ収容室８１ａに挿入すると、プラグ９０に設けたコンタクト９ｃがプラグ収容室８１ａに設けたコンタクト８ｃに接触して、プラグ９０とジャック８０を電気的に接続できる。なお、プラグ９０は、コンタクト９ｃと反対側にロックレバー９ｒを配置している。
【００１２】
図３１又は図３２を参照して、プラグ９０をジャック８０に差し込む前の状態では、カバーハウジング８２の下端部側がプラグ収容室８１ａに没入されているので、ジャック８０の高さｈを従来のジャック（図示せず）の高さＨよりも低くできる、としている。
【００１３】
しかしながら、図３１又は図３２に示されたジャック８０は、カバーハウジング８２を開閉するために、一対の軸受部８１２・８１２を上方に向けて、ハウジング８１の後端部から突出している。このため、特許文献１によるジャック８０は、「ＲＪ４５」プラグに相当するプラグ９０の規定の高さＨｐを超えた高さｈになっているという問題がある。
【００１４】
「ＲＪ４５」ジャックなどのＬＡＮ用のモジュラージャックは、一層の低背化が求められている。モジュラージャックの構造を工夫して、モジュラージャックの高さを「ＲＪ４５」プラグの規定の高さＨｐより低くすることにより、このモジュラージャックを実装するノート形パソコンなどの電子機器を低背化できる。そして、以上のことが本発明の課題といってよい。
【００１５】
本発明は、このような課題に鑑みてなされたものであり、ノート形パソコンなどの電子機器に実装して、電子機器を小型化できる、より低背化されたモジュラージャックを提供することを目的とする。
【課題を解決するための手段】
【００１６】
本発明者らは、モジュラージャックをプリント基板に実装されたベースコネクタと、ベースコネクタとスライド可能に連結すると共に、上部ハウジングを起伏させる平行クランク機構を先端部側に有するソケットコネクタで構成し、上部ハウジングをソケットハウジングの前方に倒伏した状態では、ソケットコネクタを筐体の内部に収容可能とし、上部ハウジングを筐体から引き出して、上部ハウジングを筐体の外部に起立させた状態では、モジュラープラグを電気的に接続できるようにソケットコネクタを構成することにより、この課題が解決可能なことを見出し、これに基づいて、以下のような新たなモジュラージャックを発明するに至った。
【００１７】
（１）  外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、側面に矩形の第１開口を有する平坦な第１筐体の内部に配置された第１プリント基板に実装され、前記第１開口に臨んで切り欠かれた第１スロットに側壁が保持された第１ベースコネクタと、前記第１ベースコネクタとスライド可能に連結すると共に、前記ロックレバーに係止可能な第１上部ハウジングを起伏させる平行クランク機構を先端部側に有する第１ソケットコネクタと、を備え、前記第１ベースコネクタは、前記第１スロットの奥側に配置された略矩形の第１コンタクト配列部、及び、この第１コンタクト配列部から前記第１開口に向かって延びる一対の対向するガイドアームを設けた板状の第１ベースハウジングと、先端部が前記第１コンタクト配列部から一対の前記ガイドアームの間に突出し、中間部が前記第１コンタクト配列部に固定され、基端部が前記ガイドアームと反対側に突出して前記第１プリント基板にハンダ接合される複数の板ばね状の第１コンタクトと、を有し、前記第１ソケットコネクタは、基端部側に配置され、前記第１コンタクト配列部と重なり合うように前記第１コンタクト配列部と嵌合した略矩形の第２コンタクト配列部、及び、先端部側に配置され、両側面が一対の前記ガイドアームの内壁に案内されると共に、前記平行クランク機構を構成する一対一組のリンク板の一端部側を回動自在に連結した略矩形の基部を設けた板状の第１ソケットハウジングと、前記第２コンタクト配列部に配列され、前記第１コンタクトの先端部がスライド可能に接触すると共に、前記相手側コンタクトに接続可能な屈曲部を先端部に設けた複数の板ばね状の第２コンタクトと、を有し、前記第１上部ハウジングを前記第１ソケットハウジングの前方に倒伏した状態では、前記第１上部ハウジングの前面が前記第１開口を塞ぐように、前記第１ソケットコネクタを前記第１筐体の内部に収容可能とし、前記第１上部ハウジングを前記第１開口から引き出して、前記第１上部ハウジングを前記第１筐体の外部に起立させた状態では、前記モジュラープラグを電気的に接続可能なモジュラージャック。
【００１８】
（１）の発明によるモジュラージャックは、モジュラープラグが電気的に接続される。モジュラープラグは、プラグハウジング、複数の相手側コンタクト、及びロックレバーを有している。プラグハウジングは、外形が直方体状に形成されている。複数の相手側コンタクトは、プラグハウジングの一方の側面に配列されている。ロックレバーは、プラグハウジングの他方の側面に配置されている。
【００１９】
（１）の発明によるモジュラージャックは、第１ベースコネクタと第１ソケットコネクタを備えている。第１ベースコネクタは、第１プリント基板に実装されている。第１プリント基板は、側面に矩形の第１開口を有する平坦な第１筐体の内部に配置されている。又、第１ベースコネクタは、第１開口に臨んで切り欠かれた第１スロットに側壁が保持されている。第１ソケットコネクタは、第１ベースコネクタとスライド可能に連結している。又、第１ソケットコネクタは、平行クランク機構を先端部側に有している。平行クランク機構は、ロックレバーに係止可能な第１上部ハウジングを起伏させる。
【００２０】
第１ベースコネクタは、板状の第１ベースハウジングと複数の板ばね状の第１コンタクトを有している。第１ベースハウジングは、略矩形の第１コンタクト配列部と一対の対向するガイドアームを設けている。第１コンタクト配列部は、第１スロットの奥側に配置されている。一対のガイドアームは、第１コンタクト配列部から第１開口に向かって延びている。
【００２１】
第１コンタクトは、その先端部が第１コンタクト配列部から一対のガイドアームの間に突出している。又、第１コンタクトは、その中間部が第１コンタクト配列部に固定されている。更に、第１コンタクトは、その基端部がガイドアームと反対側に突出して、第１プリント基板にハンダ接合されている。
【００２２】
第１ソケットコネクタは、板状の第１ソケットハウジングと複数の板ばね状の第２コンタクトを有している。第１ソケットハウジングは、略矩形の第２コンタクト配列部と略矩形の基部を設けている。第２コンタクト配列部は、第１ソケットハウジングの基端部側に配置され、第１コンタクト配列部と重なり合うように第１コンタクト配列部と嵌合している。基部は、第１ソケットハウジングの先端部側に配置されている。又、基部は、その両側面が一対のガイドアームの内壁に案内される。更に、基部は、平行クランク機構を構成する一対一組のリンク板の一端部側を回動自在に連結している。
【００２３】
第２コンタクトは、第２コンタクト配列部に配列されている。又、第２コンタクトは、第１コンタクトの先端部がスライド可能に接触する。更に、第２コンタクトは、相手側コンタクトに接続可能な屈曲部を先端部に設けている。
【００２４】
（１）の発明によるモジュラージャックは、第１上部ハウジングを第１ソケットハウジングの前方に倒伏した状態では、第１上部ハウジングの前面が第１開口を塞ぐように、第１ソケットコネクタを第１筐体の内部に収容可能としている。
【００２５】
（１）の発明によるモジュラージャックは、第１上部ハウジングを第１開口から引き出して、第１上部ハウジングを第１筐体の外部に起立させた状態では、モジュラープラグを電気的に接続できる。
【００２６】
（１）の発明によるモジュラージャックは、第１上部ハウジングを第１ソケットハウジングの前方に倒伏した状態では、第１ソケットコネクタを第１筐体の内部に収容可能とし、第１上部ハウジング、第１ソケットハウジング、及び第１ベースハウジングのこれらの両面が平坦に形成されるので、（１）の発明によるモジュラージャックを低背化できる。
【００２７】
（１）の発明によるモジュラージャックは、第１上部ハウジングを第１開口から引き出して、第１上部ハウジングを第１筐体の外部に起立させた状態では、モジュラープラグを電気的に接続できる。
【００２８】
（２）  外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、側面に矩形の第２開口を有する平坦な第２筐体の内部に配置された第２プリント基板に実装され、前記第２開口に臨んで切り欠かれた第２スロットに側壁が保持された第２ベースコネクタと、前記第２ベースコネクタとスライド可能に連結すると共に、前記ロックレバーに係止可能な第２上部ハウジングを起伏させる平行クランク機構を先端部側に有する第２ソケットコネクタと、を備え、前記第２ベースコネクタは、一対の対向する第１側壁及びこれらの第１側壁の一端部側を連結する第２側壁で囲われた略矩形の凹部、及び、この凹部の底壁に形成された第３コンタクト配列部を設けた矩形板状の第２ベースハウジングと、先端部が前記凹部の底壁から突出し、中間部が前記第３コンタクト配列部に固定され、基端部が前記第２ベースハウジングの第２側壁の外部に突出して前記第２プリント基板にハンダ接合される複数の板ばね状の第３コンタクトと、を有し、前記第２ソケットコネクタは、中央部に配置され、前記第３コンタクト配列部と重なり合うように前記第３コンタクト配列部と対向した第４コンタクト配列部、及び、前記平行クランク機構を構成する一対一組のリンク板の一端部側を回動自在に連結した連結部を設け、両側面が一対の前記第１側壁の内壁に案内されると共に、前記第２ベースハウジングの凹部に収容されるように配置された板状の第２ソケットハウジングと、前記第４コンタクト配列部に配列され、前記第３コンタクトの先端部がスライド可能に接触すると共に、前記相手側コンタクトに接続可能な屈曲部を先端部に設けた複数の板ばね状の第４コンタクトと、を有し、前記第２上部ハウジングを前記第２ソケットハウジングの前方に倒伏した状態では、前記第２上部ハウジングの前面が前記第２開口を塞ぐように、前記第２ソケットコネクタを前記第２筐体の内部に収容可能とし、前記第２上部ハウジングを前記第２開口から引き出して、前記第２上部ハウジングを前記第２筐体の外部に起立させた状態では、前記モジュラープラグを電気的に接続可能なモジュラージャック。
【００２９】
（２）の発明によるモジュラージャックは、モジュラープラグが電気的に接続される。モジュラープラグは、プラグハウジング、複数の相手側コンタクト、及びロックレバーを有している。プラグハウジングは、外形が直方体状に形成されている。複数の相手側コンタクトは、プラグハウジングの一方の側面に配列されている。ロックレバーは、プラグハウジングの他方の側面に配置されている。
【００３０】
（２）の発明によるモジュラージャックは、第２ベースコネクタと第２ソケットコネクタを備えている。第２ベースコネクタは、第２プリント基板に実装されている。第２プリント基板は、側面に矩形の第２開口を有する平坦な第２筐体の内部に配置されている。又、第２ベースコネクタは、第２開口に臨んで切り欠かれた第２スロットに側壁が保持されている。第２ソケットコネクタは、第２ベースコネクタとスライド可能に連結している。又、第２ソケットコネクタは、平行クランク機構を先端部側に有している。平行クランク機構は、ロックレバーに係止可能な第２上部ハウジングを起伏させる。
【００３１】
第２ベースコネクタは、板状の第２ベースハウジングと複数の板ばね状の第３コンタクトを有している。第２ベースハウジングは、略矩形の凹部と第３コンタクト配列部を設けている。凹部は、一対の対向する第１側壁及びこれらの第１側壁の一端部側を連結する第２側壁で囲われている。第３コンタクト配列部は、凹部の底壁に形成されている。
【００３２】
第３コンタクトは、その先端部が凹部の底壁から突出している。又、第２コンタクトは、その中間部が第３コンタクト配列部に固定されている。更に、第３コンタクトは、その基端部が第２ベースハウジングの第２側壁の外部に突出して、第２プリント基板にハンダ接合されている。
【００３３】
第２ソケットコネクタは、板状の第２ソケットハウジングと複数の板ばね状の第４コンタクトを有している。第２ソケットハウジングは、両側面が一対の第１側壁の内壁に案内されると共に、第２ベースハウジングの凹部に収容されるように配置されている。又、第２ソケットハウジングは、第４コンタクト配列部と連結部を設けている。第４コンタクト配列部は、中央部に配置され、前記第３コンタクト配列部と重なり合うように前記第３コンタクト配列部と対向している。連結部は、平行クランク機構を構成する一対一組のリンク板の一端部側を回動自在に連結している。
【００３４】
第４コンタクトは、第４コンタクト配列部に配列されている。又、第４コンタクトは、第３コンタクトの先端部がスライド可能に接触する。更に、第４コンタクトは、相手側コンタクトに接続可能な屈曲部を先端部に設けている。
【００３５】
（２）の発明によるモジュラージャックは、第２上部ハウジングを第２ソケットハウジングの前方に倒伏した状態では、第２上部ハウジングの前面が第２開口を塞ぐように、第２ソケットコネクタを第２筐体の内部に収容可能としている。
【００３６】
（２）の発明によるモジュラージャックは、第２上部ハウジングを第２開口から引き出して、第２上部ハウジングを第２筐体の外部に起立させた状態では、モジュラープラグを電気的に接続できる。
【００３７】
（２）の発明によるモジュラージャックは、第２上部ハウジングを第２ソケットハウジングの前方に倒伏した状態では、第２ソケットコネクタを第２筐体の内部に収容可能とし、第２上部ハウジング及び第２ソケットハウジングを第２ベースハウジングの凹部に収容して、これらの上面が平坦に形成されるので、（２）の発明によるモジュラージャックを低背化できる。
【００３８】
（２）の発明によるモジュラージャックは、第２上部ハウジングを第２開口から引き出して、第２上部ハウジングを第２筐体の外部に起立させた状態では、モジュラープラグを電気的に接続できる。
【発明の効果】
【００３９】
本発明によるモジュラージャックは、第１上部ハウジングを第１ソケットハウジングの前方に倒伏した状態では、第１ソケットコネクタを第１筐体の内部に収容可能とし、第１上部ハウジング、第１ソケットハウジング、及び第１ベースハウジングのこれらの両面が平坦に形成されるので、本発明によるモジュラージャックを低背化できる。
【００４０】
又、本発明によるモジュラージャックは、第２上部ハウジングを第２ソケットハウジングの前方に倒伏した状態では、第２ソケットコネクタを第２筐体の内部に収容可能とし、第２上部ハウジング及び第２ソケットハウジングを第２ベースハウジングの凹部に収容して、これらの上面が平坦に形成されるので、本発明によるモジュラージャックを低背化できる。
【図面の簡単な説明】
【００４１】
【図１】本発明の第１実施形態によるモジュラージャックの構成を示す斜視図であり、図１（Ａ）は、第１実施形態によるモジュラージャックを第１筐体に収納した状態図、図１（Ｂ）は、第１実施形態によるモジュラージャックに備わる第１ソケットコネクタを第１筐体から引き出した状態図、図１（Ｃ）は、図１（Ｂ）の状態から第１ソケットコネクタに備わる第１上部ハウジングを起立した状態図、図１（Ｄ）は、図１（Ｃ）の状態のモジュラージャックにモジュラープラグを接続した状態図である。
【図２】第１実施形態によるモジュラージャックの構成を示す斜視図であり、図２（Ａ）は、第１実施形態によるモジュラージャックを第１筐体に収納した状態図、図２（Ｂ）は、第１実施形態によるモジュラージャックに備わる第１ソケットコネクタを第１筐体から引き出した状態図、図２（Ｃ）は、図２（Ｂ）の状態から第１ソケットコネクタに備わる第１上部ハウジングを起立した状態図、図２（Ｄ）は、図２（Ｃ）の状態のモジュラージャックにモジュラープラグを接続した状態図である。なお、図２において、第１筐体を想像線で示している。
【図３】第１実施形態によるモジュラージャックの構成を示す斜視図であり、第１筐体の内部に配置された第１プリント基板を対向配置している。
【図４】第１実施形態によるモジュラージャックの構成を示す斜視図であり、第１実施形態によるモジュラージャックを構成する第１ベースハウジングと第１ソケットコネクタを対向配置した状態図である。
【図５】第１実施形態によるモジュラージャックの構成を示す斜視分解組立図である。
【図６】モジュラープラグの構成を示す図であり、図６（Ａ）は正面図、図６（Ｂ）は平面図、図６（Ｃ）は右側面図、図６（Ｄ）は左側面図、図６（Ｅ）は背面図、図６（Ｆ）は底面図、図６（Ｇ）は斜視図である。
【図７】第１実施形態によるモジュラージャックの構成を示す縦断面図であり、第１実施形態によるモジュラージャックに備わる第１ソケットコネクタを第１筐体に収納した状態図である。
【図８】第１実施形態によるモジュラージャックの構成を示す縦断面図であり、第１実施形態によるモジュラージャックに備わる第１ソケットコネクタを第１筐体から引き出した状態図である。
【図９】第１実施形態によるモジュラージャックの構成を示す縦断面図であり、第１ソケットコネクタに備わる第１上部ハウジングを起立した状態図である。
【図１０】第１実施形態によるモジュラージャックの構成を示す縦断面図であり、第１実施形態によるモジュラージャックにモジュラープラグを接続した状態図である。
【図１１】第１実施形態によるモジュラージャックの構成を示す正面図であり、第１ソケットコネクタに備わる第１上部ハウジングを起立した状態図である。
【図１２】第１実施形態によるモジュラージャックの構成を示す斜視図であり、第１実施形態によるモジュラージャックに備わる第１ソケットコネクタを第１筐体から引き出した状態図である。
【図１３】第１実施形態によるモジュラージャックの構成を示す斜視図であり、第１実施形態によるモジュラージャックにモジュラープラグを接続した状態図である。
【図１４】第１実施形態によるモジュラージャックの構成を示す図であり、図１４（Ａ）は、図７のＡ−Ａ矢視断面図、図１４（Ｂ）は、図１４（Ａ）の要部拡大図である。
【図１５】第１実施形態によるモジュラージャックの構成を示す図であり、図１５（Ａ）は、図８のＡ−Ａ矢視断面図、図１５（Ｂ）は、図１５（Ａ）の要部拡大図である。
【図１６】第１実施形態によるモジュラージャックの構成を示す図であり、図９のＡ−Ａ矢視断面図である。
【図１７】第１実施形態によるモジュラージャックの構成を示す図であり、図１０のＡ−Ａ矢視断面図である。
【図１８】本発明の第２実施形態によるモジュラージャックの構成を示す斜視図であり、図１８（Ａ）は、第２実施形態によるモジュラージャックを第２筐体に収納した状態図、図１８（Ｂ）は、第２実施形態によるモジュラージャックに備わる第２ソケットコネクタを第２筐体から引き出した状態図、図１８（Ｃ）は、図１８（Ｂ）の状態から第２ソケットコネクタに備わる第２上部ハウジングを起立した状態図、図１８（Ｄ）は、図１８（Ｃ）の状態のモジュラージャックにモジュラープラグを接続した状態図である。
【図１９】第２実施形態によるモジュラージャックの構成を示す斜視図であり、図１９（Ａ）は、第２実施形態によるモジュラージャックを第２筐体に収納した状態図、図１９（Ｂ）は、第２実施形態によるモジュラージャックに備わる第２ソケットコネクタを第２筐体から引き出した状態図、図１９（Ｃ）は、図１９（Ｂ）の状態から第２ソケットコネクタに備わる第２上部ハウジングを起立した状態図、図１９（Ｄ）は、図１９（Ｃ）の状態のモジュラージャックにモジュラープラグを接続した状態図である。なお、図１９において、第２筐体を想像線で示している。
【図２０】第２実施形態によるモジュラージャックの構成を示す斜視図であり、第２筐体の内部に配置された第２プリント基板を対向配置している。
【図２１】第２実施形態によるモジュラージャックの構成を示す斜視図であり、第２実施形態によるモジュラージャックを構成する第２ベースハウジングと第２ソケットコネクタを対向配置した状態図である。
【図２２】第２実施形態によるモジュラージャックの構成を示す斜視分解組立図である。
【図２３】第２実施形態によるモジュラージャックの構成を示す縦断面図であり、第２実施形態によるモジュラージャックに備わる第２ソケットコネクタを第２筐体に収納した状態図である。
【図２４】第２実施形態によるモジュラージャックの構成を示す縦断面図であり、第２実施形態によるモジュラージャックに備わる第２ソケットコネクタを第２筐体から引き出した状態図である。
【図２５】第２実施形態によるモジュラージャックの構成を示す縦断面図であり、第２ソケットコネクタに備わる第２上部ハウジングを起立した状態図である。
【図２６】第２実施形態によるモジュラージャックの構成を示す縦断面図であり、第２実施形態によるモジュラージャックにモジュラープラグを接続した状態図である。
【図２７】第２実施形態によるモジュラージャックの構成を示す図であり、図２７（Ａ）は、図２３のＡ−Ａ矢視断面図、図２７（Ｂ）は、図２７（Ａ）の要部拡大図である。
【図２８】第２実施形態によるモジュラージャックの構成を示す図であり、図２８（Ａ）は、図２４のＡ−Ａ矢視断面図、図２８（Ｂ）は、図２８（Ａ）の要部拡大図である。
【図２９】第２実施形態によるモジュラージャックの構成を示す図であり、図２５のＡ−Ａ矢視断面図である。
【図３０】第２実施形態によるモジュラージャックの構成を示す図であり、図２６のＡ−Ａ矢視断面図である。
【図３１】従来技術によるモジュラージャックの斜視図であり、モジュラープラグを対向配置した状態図である。
【図３２】従来技術によるモジュラージャックの縦断面図であり、モジュラープラグを対向配置した状態図である。
【発明を実施するための形態】
【００４２】
以下、図面を参照して本発明を実施するための形態を説明する。
【００４３】
［第１実施形態］
（モジュラージャックの構成）
最初に、本発明の第１実施形態によるモジュラージャックの構成を説明する。図１は、本発明の第１実施形態によるモジュラージャックの構成を示す斜視図であり、図１（Ａ）は、第１実施形態によるモジュラージャックを第１筐体に収納した状態図、図１（Ｂ）は、第１実施形態によるモジュラージャックに備わる第１ソケットコネクタを第１筐体から引き出した状態図、図１（Ｃ）は、図１（Ｂ）の状態から第１ソケットコネクタに備わる第１上部ハウジングを起立した状態図、図１（Ｄ）は、図１（Ｃ）の状態のモジュラージャックにモジュラープラグを接続した状態図である。
【００４４】
図２は、第１実施形態によるモジュラージャックの構成を示す斜視図であり、図２（Ａ）は、第１実施形態によるモジュラージャックを第１筐体に収納した状態図、図２（Ｂ）は、第１実施形態によるモジュラージャックに備わる第１ソケットコネクタを第１筐体から引き出した状態図、図２（Ｃ）は、図２（Ｂ）の状態から第１ソケットコネクタに備わる第１上部ハウジングを起立した状態図、図２（Ｄ）は、図２（Ｃ）の状態のモジュラージャックにモジュラープラグを接続した状態図である。なお、図２において、第１筐体を想像線で示している。
【００４５】
図３は、第１実施形態によるモジュラージャックの構成を示す斜視図であり、第１筐体の内部に配置された第１プリント基板を対向配置している。図４は、第１実施形態によるモジュラージャックの構成を示す斜視図であり、第１実施形態によるモジュラージャックを構成する第１ベースハウジングと第１ソケットコネクタを対向配置した状態図である。
【００４６】
図５は、第１実施形態によるモジュラージャックの構成を示す斜視分解組立図である。図６は、モジュラープラグの構成を示す図であり、図６（Ａ）は正面図、図６（Ｂ）は平面図、図６（Ｃ）は右側面図、図６（Ｄ）は左側面図、図６（Ｅ）は背面図、図６（Ｆ）は底面図、図６（Ｇ）は斜視図である。
【００４７】
（全体構成）
図１から図５を参照すると、第１実施形態によるモジュラージャック（以下、ジャックと略称する）１０は、第１ベースコネクタ１と第１ソケットコネクタ３を備えている。第１ベースコネクタ１は、第１プリント基板１ｐに実装されている。第１プリント基板１ｐは、側面に矩形の第１開口ｋ１を有する平坦な第１筐体ｆ１の内部に配置されている。又、第１ベースコネクタ１は、第１開口ｋ１に臨んで切り欠かれた第１スロットｓ１に側壁が保持されている。第１ソケットコネクタ３は、第１ベースコネクタ１とスライド可能に連結している。又、第１ソケットコネクタ３は、平行クランク機構ｐｃｍを先端部側に有している。平行クランク機構ｐｃｍは、ロックレバー９１ｒに係止可能な第１上部ハウジング５を起伏させる。
【００４８】
（モジュラープラグの構成）
図１又は図６を参照すると、モジュラープラグ（以下、プラグと略称する）９１は、ＲＪ４５プラグを示している。プラグ９１は、プラグハウジング９１ｈ、キー９１ｋ、及び相手側コンタクトとなる八つのコンタクト９１ｃを有している。プラグハウジング９１ｈは、外形が直方体状に形成されている。キー９１ｋは、プラグハウジング９１ｈの一方の端面９１ａから四角柱状に突出している。又、キー９１ｋの一部は、プラグハウジング９１ｈの他方の側面９１２に帯状に延びている。
【００４９】
図１又は図６を参照すると、プラグハウジング９１ｈは、ロックレバー９１ｒを更に備えている。ロックレバー９１ｒは、プラグハウジング９１ｈの他方の側面９１２に配置され、基端部がキー９１ｋに連設されている。又、ロックレバー９１ｒは、一対の係止爪９１ｎ・９１ｎを設けている。プラグハウジング９１ｈは、一方の側面９１１に隣接する一対の第３の側面９１３・９１３を形成している。
【００５０】
図１又は図６を参照すると、プラグハウジング９１ｈは、櫛の歯状に形成された八つの溝を一方の側面９１１の端部に形成している。そして、これらの溝に板状のコンタクト９１ｃを配列している。コンタクト９１ｃは、第２コンタクト３２の先端部に設けた屈曲部３２ａ（図５参照）が接触できるように、板厚面が露出している。
【００５１】
（モジュラージャックの構成）
引き続き、第１実施形態によるジャック１０の構成を説明する。図７は、第１実施形態によるモジュラージャックの構成を示す縦断面図であり、第１実施形態によるモジュラージャックに備わる第１ソケットコネクタを第１筐体に収納した状態図である。
【００５２】
図８は、第１実施形態によるモジュラージャックの構成を示す縦断面図であり、第１実施形態によるモジュラージャックに備わる第１ソケットコネクタを第１筐体から引き出した状態図である。図９は、第１実施形態によるモジュラージャックの構成を示す縦断面図であり、第１ソケットコネクタに備わる第１上部ハウジングを起立した状態図である。
【００５３】
図１０は、第１実施形態によるモジュラージャックの構成を示す縦断面図であり、第１実施形態によるモジュラージャックにモジュラープラグを接続した状態図である。図１１は、第１実施形態によるモジュラージャックの構成を示す正面図であり、第１ソケットコネクタに備わる第１上部ハウジングを起立した状態図である。
【００５４】
図１２は、第１実施形態によるモジュラージャックの構成を示す斜視図であり、第１実施形態によるモジュラージャックに備わる第１ソケットコネクタを第１筐体から引き出した状態図である。図１３は、第１実施形態によるモジュラージャックの構成を示す斜視図であり、第１実施形態によるモジュラージャックにモジュラープラグを接続した状態図である。
【００５５】
（第１ベースコネクタの構成）
図３から図５を参照すると、第１ベースコネクタ１は、板状の第１ベースハウジング１ｈと八つの板ばね状の第１コンタクト１１を備えている。第１ベースハウジング１ｈは、略矩形の第１コンタクト配列部１２と一対の対向するガイドアーム１３・１３を設けている。第１コンタクト配列部１２は、第１スロットｓ１の奥側に配置されている（図２参照）。一対のガイドアーム１３・１３は、第１コンタクト配列部１２から第１開口ｋ１に向かって延びている（図２（Ａ）参照）。
【００５６】
（第１ベースハウジングの構成）
図３から図５を参照すると、第１ベースハウジング１ｈは、絶縁性を有する合成樹脂を成形している。第１ベースハウジング１ｈは、櫛の歯状に形成された八つの溝１２ｄを第１コンタクト配列部１２の底面に形成している（図４又は図５参照）。溝１２ｄには、第１コンタクト１１の中間部１１ｂを圧入できる（図５参照）。
【００５７】
又、図４又は図５を参照すると、第１ベースハウジング１ｈは、一対の対向する方形溝１２１・１２１を溝１２ｄの両翼に形成している。一対の方形溝１２１・１２１は、後述する第２コンタクト配列部３１の両側面をスライド可能に案内できる。
【００５８】
図４又は図５を参照すると、一対のガイドアーム１３・１３は、互いに対向し、かつ、第１コンタクト配列部１２から一対のガイドアーム１３・１３の他端に至る第１溝１３ｄ・１３ｄを有している。一方、第１ソケットハウジング３ｈは、相反する向きに突出し、第１溝１３ｄ・１３ｄに案内される一対の第１突片３３１・３３１を基部３３の両翼に有している。一対のガイドアーム１３・１３が基部３３の両翼をスライド可能に保持することで、第１ソケットコネクタ３は進退運動のみが許容される。
【００５９】
（第１コンタクトの構成）
図３から図５を参照すると、第１コンタクト１１は、導電性を有するベローズコンタクトからなり、導電性の金属板を打ち抜き加工又は折り曲げ加工して、所望の形状の導電性の第１コンタクト１１を得ることができる。第１コンタクト１１は、加工の容易性や、ばね特性、導電性などを考慮すれば、銅合金が好ましく用いられるが、銅合金に限定されない。
【００６０】
図３から図５及び図７を参照すると、第１コンタクト１１は、弾性アームとなる先端部１１ａ、固定アームとなる中間部１１ｂ、及びリード端子となる基端部１１ｃで構成している。中間部１１ｂは、直条に延びている。そして、中間部１１ｂは、第１コンタクト配列部１２の溝１２ｄに圧入されている（図５参照）。基端部１１ｃは、ガイドアーム１３と反対側に突出している。基端部１１ｃは、第１プリント基板１ｐに設けたスルーホールｓｈに挿入されて、ハンダ接合されるリード端子となっている（図３参照）。
【００６１】
図５を参照すると、中間部１１ｂの先端部側は、鈍角に屈曲された先端部１１ａを延出している。先端部１１ａは、第１コンタクト配列部１２から一対のガイドアーム１３・１３の間に突出している。そして、第１コンタクト１１の先端部１１ａは、第２コンタクト配列部３１に配列された第２コンタクト３２にスライド可能に接触できる（図７参照）。
【００６２】
（補強タブの構成）
図３から図５を参照すると、第１ベースコネクタ１は、一対一組の補強タブ１４と一対の案内ばね付き補強タブ１５ａ・１５ｂを更に備えている。補強タブ１４は、帯板をクランク状に屈曲している。そして、補強タブ１４は、その一片側が第１ベースハウジング１ｈに圧入され、他端側を第１プリント基板１ｐに設けたスルーホールに挿入して、ハンダ接合することで、第１ベースコネクタ１を第１プリント基板１ｐに固定できる。
【００６３】
図３から図５を参照すると、一対の案内ばね付き補強タブ１５ａ・１５ｂは、補強タブ１４と同様に、第１ベースコネクタ１を第１プリント基板１ｐに固定している。補強タブ１５ａ・１５ｂは、一対の案内ばね１５１・１５１を一対のガイドアーム１３・１３の先端部側に対向配置することで、一対の導電部材３５ａ・３５ｂに接触できる。
【００６４】
（第１ソケットコネクタの構成）
図３から図５を参照すると、第１ソケットコネクタ３は、板状の第１ソケットハウジング３ｈと八つの板ばね状の第２コンタクト３２を備えている。第１ソケットハウジング３ｈは、略矩形の第２コンタクト配列部３１と略矩形の基部３３を設けている。第２コンタクト配列部３１は、第１ソケットハウジング３ｈの基端部側に配置されている（図５参照）。そして、第２コンタクト配列部３１は、第１コンタクト配列部１２と重なり合うように第１コンタクト配列部１２と嵌合できる（図３参照）。
【００６５】
（第１ソケットハウジングの構成）
図３から図５を参照すると、第１ソケットハウジング３ｈは、絶縁性を有する合成樹脂を成形している。第１ソケットハウジング３ｈは、櫛の歯状に形成された八つの溝３２ｄを上面に形成している（図４又は図５参照）。第２コンタクト配列部３１に形成された溝３２ｄには、第２コンタクト３２を圧入できる（図５参照）。
【００６６】
図３から図５を参照すると、基部３３は、第１ソケットハウジング３ｈの先端部側に配置されている（図５参照）。又、基部３３は、その両側面が一対のガイドアーム１３・１３の内壁に案内される。更に、基部３３は、平行クランク機構ｐｃｍを構成する一対一組のリンク板５ａ・５ｂ・５ｃ・５ｄの一端部側を回動自在に連結している。
【００６７】
（平行クランク機構の構成）
図３から図５を参照すると、平行クランク機構ｐｃｍは、基部３３、第１上部ハウジング５、及びリンク板５ａ・５ｂ・５ｃ・５ｄでリンク構成している。基部３３の両側面には、軸ピン５ｐが圧入され、リンク板５ａ・５ｂ・５ｃ・５ｄの一端部側を回動自在に連結している。一方、第１上部ハウジング５の両側面には、軸ピン５ｐが圧入され、リンク板５ａ・５ｂ・５ｃ・５ｄの他端部側を回動自在に連結している。
【００６８】
図３から図５を参照すると、基部３３と第１上部ハウジング５とは、平行クランク機構ｐｃｍで連結しているので、基部３３に対して第１上部ハウジング５は、常に平行状態が維持される。そして、図３又は図７及び図１２に示すように、第１上部ハウジング５を基部３３の前方に倒伏した状態では、第１ソケットコネクタ３を第１筐体ｆ１の内部に収容でき（図７参照）、第１ソケットコネクタ３を第１筐体ｆ１から引き出すこともできる（図１２参照）。
【００６９】
一方、図９に示すように、第１上部ハウジング５を第１開口ｋ１から引き出して、第１上部ハウジング５を第１筐体ｆ１の外部に起立させた状態では、基部３３と第１上部ハウジング５の間にプラグ９１を挿入でき、プラグ９１をジャック１０に接続できる（図１０又は図１１及び図１３参照）。
【００７０】
図３又は図１１を参照すると、一対一組のリンク板５ａ・５ｂ・５ｃ・５ｄの内、一方の一対のリンク板５ａ・５ｂは、対向する案内片５１・５１を設けている。これらの案内片５１・５１は、プラグハウジング９１ｈの一方の側面に隣接する一対の第３の側面９１３・９１３を案内できる（図６参照）。そして、一対の案内片５１・５１に規制されて、プラグ９１をジャック１０に正しく接続できる。
【００７１】
（第２コンタクトの構成）
図３から図５を参照すると、第２コンタクト３２は、導電性を有するベローズコンタクトからなっている。第２コンタクト３２は、その本体部が第２コンタクト配列部３１に配列されている。第２コンタクト３２の本体部には、第１コンタクト１１の先端部１１ａがスライド可能に接触している（図７又は図８参照）。
【００７２】
又、図３から図５を参照すると、第２コンタクト３２は、反転するように屈曲した屈曲部３２ａを先端部に設けている。屈曲部３２ａは、基部３３の先端部側に配列されている（図４参照）。そして、基部３３と第１上部ハウジング５の間に、プラグ９１を挿入すると、相手側コンタクトとなるコンタクト９１ｃを屈曲部３２ａに接触できる（図６又は図１０参照）。
【００７３】
（導電部材の構成）
図５を参照すると、第１ソケットコネクタ３は、一対の導電部材３５ａ・３５ｂを更に備えている。一対の導電部材３５ａ・３５ｂは、それらの基端部が第１ソケットハウジング３ｈに嵌合している。又、一対の導電部材３５ａ・３５ｂは、それらの基端部が一対の案内ばね１５１・１５１に接触している。一方、一対の導電部材３５ａ・３５ｂは、それらの先端部３５１・３５１が第１ソケットハウジング３ｈの前面から僅かに突出している（図１３参照）。一対の導電部材３５ａ・３５ｂの先端部３５１に人体が接触したときは、補強タブ１５ａ・１５ｂを介して、人体に帯電した電荷を第１プリント基板１ｐに逃がすことができる。
【００７４】
（モジュラージャックの作用）
次に、第１実施形態によるジャック１０の構成を補足すると共に、ジャック１０の動作を説明しながら、ジャック１０の作用及び効果を説明する。
【００７５】
図１４は、第１実施形態によるモジュラージャックの構成を示す図であり、図１４（Ａ）は、図７のＡ−Ａ矢視断面図、図１４（Ｂ）は、図１４（Ａ）の要部拡大図である。図１５は、第１実施形態によるモジュラージャックの構成を示す図であり、図１５（Ａ）は、図８のＡ−Ａ矢視断面図、図１５（Ｂ）は、図１５（Ａ）の要部拡大図である。
【００７６】
図１６は、第１実施形態によるモジュラージャックの構成を示す図であり、図９のＡ−Ａ矢視断面図である。図１７は、第１実施形態によるモジュラージャックの構成を示す図であり、図１０のＡ−Ａ矢視断面図である。
【００７７】
図１（Ａ）又は図２（Ａ）に示すように、通常、ジャック１０は、第１筐体ｆ１の内部に収容されている。図１（Ａ）又は図２（Ａ）に示した状態では、第１上部ハウジング５の前面が第１筐体ｆ１の側面に設けた第１開口ｋ１を塞いでいる。
【００７８】
図１（Ａ）又は図２（Ａ）に示した状態では、第１ベースコネクタ１に第１ソケットコネクタ３が嵌合している（図３又は図７参照）。図１４（Ｂ）を参照すると、第１溝１３ｄの奥側には、第１停止突起１３１を設けている。第１停止突起１３１は、第１突片３３１に係止して、第１ベースハウジング１ｈに対する第１ソケットハウジング３ｈの収納状態を拘束している。第１ベースハウジング１ｈに対して、第１ソケットハウジング３ｈを強い力で引くと、第１突片３３１は第１停止突起１３１を乗り越えることができる。
【００７９】
プラグ９１をジャック１０に接続する場合は、最初に、第１ソケットコネクタ３を第１筐体ｆ１から引き出す。この場合、図７又は図８に示すように、第１上部ハウジング５の底面には、窪みを設けているので、第１ソケットコネクタ３を引き出すこと容易である。
【００８０】
図１（Ｂ）又は図２（Ｂ）及び図８は、第１ソケットコネクタ３を第１筐体ｆ１から完全に引き出した状態図である。この場合、図１５（Ｂ）に示すように、第１溝１３ｄの入口側には、第２停止突起１３２を設けているので、第１突片３３１が係止して、第１ベースハウジング１ｈに対する第１ソケットハウジング３ｈの引き出し状態を拘束している。第１ベースハウジング１ｈに対して、第１ソケットハウジング３ｈを強い力で引くと、第１突片３３１は第２停止突起１３２を乗り越えることができる。これにより、例えば、第１ベースコネクタ１の破損を防止できる。
【００８１】
図１（Ｂ）又は図２（Ｂ）及び図８に示された状態から、図１（Ｃ）又は図２（Ｃ）に示すように、第１上部ハウジング５を一方の方向に回転すると、第１上部ハウジング５を第１筐体ｆ１の外部に起立できる（図９又は図１１及び図１３参照）。次に、基部３３と第１上部ハウジング５の間にプラグ９１を挿入でき、プラグ９１をジャック１０に接続できる（図１（Ｄ）又は図２（Ｄ）参照）。
【００８２】
図１（Ｄ）又は図２（Ｄ）に示された状態では、一対の係止爪９１ｎ・９１ｎが第１上部ハウジング５に設けた切り欠き溝５ｋに係止しているので（図１３参照）、プラグ９１を第１ソケットコネクタ３にロックできる。又、図１（Ｄ）又は図２（Ｄ）に示された状態では、コンタクト９１ｃ→第２コンタクト３２→第１コンタクト１１の経路を経て、プラグ９１と第１プリント基板１ｐとを電気的に接続している。
【００８３】
プラグ９１の接続を解除する場合は、前述した手順と逆の手順でプラグ９１を解放でき、第１ソケットコネクタ３を第１筐体ｆ１の内部に収容できる。
【００８４】
第１実施形態によるジャック１０は、第１上部ハウジング５を第１ソケットハウジング３ｈの前方に倒伏した状態では、第１ソケットコネクタ３を第１筐体ｆ１の内部に収容可能とし、第１上部ハウジング５、第１ソケットハウジング３ｈ、及び第１ベースハウジング１ｈのこれらの両面が平坦に形成されるので、ジャック１０を低背化できる。
【００８５】
［第２実施形態］
（モジュラージャックの構成）
次に、本発明の第２実施形態によるモジュラージャックの構成を説明する。図１８は、本発明の第２実施形態によるモジュラージャックの構成を示す斜視図であり、図１８（Ａ）は、第２実施形態によるモジュラージャックを第２筐体に収納した状態図、図１８（Ｂ）は、第２実施形態によるモジュラージャックに備わる第２ソケットコネクタを第２筐体から引き出した状態図、図１８（Ｃ）は、図１８（Ｂ）の状態から第２ソケットコネクタに備わる第２上部ハウジングを起立した状態図、図１８（Ｄ）は、図１８（Ｃ）の状態のモジュラージャックにモジュラープラグを接続した状態図である。
【００８６】
図１９は、第２実施形態によるモジュラージャックの構成を示す斜視図であり、図１９（Ａ）は、第２実施形態によるモジュラージャックを第２筐体に収納した状態図、図１９（Ｂ）は、第２実施形態によるモジュラージャックに備わる第２ソケットコネクタを第２筐体から引き出した状態図、図１９（Ｃ）は、図１９（Ｂ）の状態から第２ソケットコネクタに備わる第２上部ハウジングを起立した状態図、図１９（Ｄ）は、図１９（Ｃ）の状態のモジュラージャックにモジュラープラグを接続した状態図である。なお、図１９において、第２筐体を想像線で示している。
【００８７】
図２０は、第２実施形態によるモジュラージャックの構成を示す斜視図であり、第２筐体の内部に配置された第２プリント基板を対向配置している。図２１は、第２実施形態によるモジュラージャックの構成を示す斜視図であり、第２実施形態によるモジュラージャックを構成する第２ベースハウジングと第２ソケットコネクタを対向配置した状態図である。図２２は、第２実施形態によるモジュラージャックの構成を示す斜視分解組立図である。
【００８８】
（全体構成）
図１８から図２２を参照すると、第２実施形態によるジャック２０は、第２ベースコネクタ２と第２ソケットコネクタ４を備えている。第２ベースコネクタ２は、第２プリント基板２ｐに実装されている。第２プリント基板２ｐは、側面に矩形の第２開口ｋ２を有する平坦な第２筐体ｆ２の内部に配置されている。又、第２ベースコネクタ２は、第２開口ｋ２に臨んで切り欠かれた第２スロットｓ２に側壁が保持されている。第２ソケットコネクタ４は、第２ベースコネクタ２とスライド可能に連結している。又、第２ソケットコネクタ４は、平行クランク機構ｐｃｍを先端部側に有している。平行クランク機構ｐｃｍは、ロックレバー９１ｒに係止可能な第２上部ハウジング６を起伏させる。
【００８９】
（モジュラージャックの構成）
引き続き、第２実施形態によるジャック２０の構成を説明する。図２３は、第２実施形態によるモジュラージャックの構成を示す縦断面図であり、第２実施形態によるモジュラージャックに備わる第２ソケットコネクタを第２筐体に収納した状態図である。
【００９０】
図２４は、第２実施形態によるモジュラージャックの構成を示す縦断面図であり、第２実施形態によるモジュラージャックに備わる第２ソケットコネクタを第２筐体から引き出した状態図である。
【００９１】
図２５は、第２実施形態によるモジュラージャックの構成を示す縦断面図であり、第２ソケットコネクタに備わる第２上部ハウジングを起立した状態図である。図２６は、第２実施形態によるモジュラージャックの構成を示す縦断面図であり、第２実施形態によるモジュラージャックにモジュラープラグを接続した状態図である。
【００９２】
（第２ベースコネクタの構成）
図２０から図２２を参照すると、第２ベースコネクタ２は、矩形板状の第２ベースハウジング２ｈと八つの板ばね状の第３コンタクト２１を備えている。第２ベースハウジング２ｈは、略矩形の凹部２２と第３コンタクト配列部２３を設けている。凹部２２は、一対の対向する第１側壁２２ａ・２２ｂ及びこれらの第１側壁２２ａ・２２ｂの一端部側を連結する第２側壁２２ｃで囲われている。第３コンタクト配列部２３は、凹部２２の底壁の中央部に形成されている（図２２参照）。
【００９３】
（第２ベースハウジングの構成）
図２１又は図２２を参照すると、第２ベースハウジング２ｈは、絶縁性を有する合成樹脂を成形している。第２ベースハウジング２ｈは、櫛の歯状に形成された八つの溝２３ｄを凹部２２の底面に形成している。これらの溝２３ｄの一部位は、凹部２２の底面から第２ベースハウジング２ｈの底面に貫通していると共に、第２側壁２２ｃにも貫通している。溝２３ｄには、第３コンタクト２１の中間部２１ｂを圧入できる（図２２参照）。又、第２ベースハウジング２ｈの周囲の三方は、第２スロットｓ２に囲われている。
【００９４】
図２１又は図２２を参照すると、一対の第１側壁２２ａ・２２ｂは、互いに対向し、かつ、第２側壁２２ｃから一対の第１側壁２２ａ・２２ｂの他端に至る第２溝２２ｄ・２２ｄを有している。一方、第２ソケットハウジング４ｈは、相反する向きに突出し、第２溝２２ｄ・２２ｄに案内される一対の第２突片４３１・４３１を両翼に有している。一対の第１側壁２２ａ・２２ｂが第２ソケットハウジング４ｈの両翼をスライド可能に保持することで、第２ソケットコネクタ４は進退運動のみが許容される。
【００９５】
（第３コンタクトの構成）
図２１又は図２２を参照すると、第３コンタクト２１は、導電性を有するベローズコンタクトからなり、導電性の金属板を打ち抜き加工又は折り曲げ加工して、所望の形状の導電性の第３コンタクト２１を得ることができる。第３コンタクト２１は、加工の容易性や、ばね特性、導電性などを考慮すれば、銅合金が好ましく用いられるが、銅合金に限定されない。
【００９６】
図２２又は図２４を参照すると、第３コンタクト２１は、弾性アームとなる先端部２１ａ、固定アームとなる中間部２１ｂ、及びリード端子となる基端部２１ｃで構成している。中間部２１ｂは、直条に延びている。そして、中間部２１ｂは、第３コンタクト配列部２３の溝２３ｄに圧入されている（図２２参照）。基端部２１ｃは、第２側壁２２ｃの外部に突出している。基端部２１ｃは、第２プリント基板２ｐに設けたスルーホールｓｈに挿入されて、ハンダ接合されるリード端子となっている（図２０参照）。
【００９７】
図２２又は図２４を参照すると、中間部２１ｂの先端部側は、鈍角に上向きに屈曲した先端部２１ａを延出している。先端部２１ａは、凹部２２の底壁から突出している（図２１参照）。そして、第３コンタクト２１の先端部２１ａは、第４コンタクト配列部４１に配列された第４コンタクト４２にスライド可能に接触できる（図２４参照）。
【００９８】
（補強タブの構成）
図２０から図２２を参照すると、第２ベースコネクタ２は、一対の補強タブ２４・２４と一対の案内ばね付き補強タブ２５ａ・２５ｂを更に備えている。補強タブ２４は、帯板をクランク状に屈曲している。そして、補強タブ２４は、その一片側が第２ベースハウジング２ｈに圧入され、他端側を第２プリント基板２ｐに設けたスルーホールに挿入して、ハンダ接合することで、第２ベースコネクタ２を第２プリント基板２ｐに固定できる。
【００９９】
図２０から図２２を参照すると、一対の案内ばね付き補強タブ２５ａ・２５ｂは、補強タブ２４と同様に、第２ベースコネクタ２を第２プリント基板２ｐに固定している。補強タブ２５ａ・２５ｂは、一対の案内ばね２５１・２５１を一対の第１側壁２２ａ・２２ｂの先端部側に対向配置することで、一対の導電部材３５ａ・３５ｂに接触できる。
【０１００】
（第２ソケットコネクタの構成）
図２０から図２２を参照すると、第２ソケットコネクタ４は、板状の第２ソケットハウジング４ｈと八つの板ばね状の第４コンタクト４２を備えている。第２ソケットハウジング４ｈは、第４コンタクト配列部４１を中央部に配置している。第４コンタクト配列部４１には、第４コンタクト４２を配列できる。又、第２ソケットハウジング４ｈは、第４コンタクト配列部４１の両翼に連結部４３・４３を設けている。そして、第４コンタクト配列部４１は、第３コンタクト配列部２３と重なり合うように第３コンタクト配列部２３と対向している（図２２参照）。
【０１０１】
（第２ソケットハウジングの構成）
図２１又は図２２を参照すると、第２ソケットハウジング４ｈは、絶縁性を有する合成樹脂を成形している。第２ソケットハウジング４ｈは、櫛の歯状に形成された八つの溝４２ｄを上面に形成している（図２２参照）。第４コンタクト配列部４１に形成された溝４２ｄには、第４コンタクト４２を圧入できる（図２２参照）。
【０１０２】
図２０から図２２を参照すると、連結部４３は、第２ソケットハウジング４ｈの両翼に配置されている。又、連結部４３は、その両側面が一対の第１側壁２２ａ・２２ｂの内壁に案内される。更に、連結部４３は、平行クランク機構ｐｃｍを構成する一対一組のリンク板５ａ・５ｂ・５ｃ・５ｄの一端部側を回動自在に連結している。
【０１０３】
（平行クランク機構の構成）
図２０から図２２を参照すると、平行クランク機構ｐｃｍは、連結部４３、第２上部ハウジング６、及びリンク板５ａ・５ｂ・５ｃ・５ｄでリンク構成している。連結部４３の両側面には、軸ピン５ｐが圧入され、リンク板５ａ・５ｂ・５ｃ・５ｄの一端部側を回動自在に連結している。一方、第２上部ハウジング６の両側面には、軸ピン５ｐが圧入され、リンク板５ａ・５ｂ・５ｃ・５ｄの他端部側を回動自在に連結している。なお、第１上部ハウジング５と第２上部ハウジング６は、同じものであるが、説明の便宜上符号を変えて区別した。
【０１０４】
図２０から図２２を参照すると、連結部４３と第２上部ハウジング６とは、平行クランク機構ｐｃｍで連結しているので、連結部４３に対して第２上部ハウジング６は、常に平行状態が維持される。そして、図２１又は図２２に示すように、第２上部ハウジング６を連結部４３の前方に倒伏した状態では、第２ソケットコネクタ４を第２筐体２ｆの内部に収容でき（図２３参照）、第２ソケットコネクタ４を第２筐体２ｆから引き出すこともできる（図１２参照）。
【０１０５】
一方、図２５に示すように、第２上部ハウジング６を第２開口２ｋから引き出して、第２上部ハウジング６を第２筐体２ｆの外部に起立させた状態では、連結部４３と第２上部ハウジング６の間にプラグ９１を挿入でき、プラグ９１をジャック１０に接続できる（図２６参照）。
【０１０６】
図２２を参照すると、一対一組のリンク板５ａ・５ｂ・５ｃ・５ｄの内、一方の一対のリンク板５ａ・５ｂは、対向する案内片５１・５１を設けている。これらの案内片５１・５１は、プラグハウジング９１ｈの一方の側面に隣接する一対の第３の側面９１３・９１３を案内できる（図６参照）。そして、一対の案内片５１・５１に規制されて、プラグ９１をジャック２０に正しく接続できる。
【０１０７】
（第４コンタクトの構成）
図２０から図２２を参照すると、第４コンタクト４２は、導電性を有するベローズコンタクトからなっている。第４コンタクト４２は、その本体部が第４コンタクト配列部４１に配列されている。第４コンタクト４２の本体部の裏面側には、第３コンタクト２１の先端部２１ａがスライド可能に接触している（図２４又は図２５参照）。
【０１０８】
又、図２０から図２２を参照すると、第４コンタクト４２は、反転するように屈曲した屈曲部４２ａを先端部に設けている。屈曲部４２ａは、第２ソケットハウジング４ｈの先端部側に配列されている（図２１参照）。そして、連結部４３と第２上部ハウジング６の間に、プラグ９１を挿入すると、相手側コンタクトとなるコンタクト９１ｃを屈曲部４２ａに接触できる（図６又は図２６参照）。
【０１０９】
（導電部材の構成）
図２２を参照すると、第２ソケットコネクタ４は、一対の導電部材４５ａ・４５ｂを更に備えている。一対の導電部材４５ａ・４５ｂは、それらの基端部が第２ソケットハウジング４ｈに嵌合している。又、一対の導電部材４５ａ・４５ｂは、それらの基端部が一対の補強タブ２５ａ・２５ｂに接触している。一方、一対の導電部材４５ａ・４５ｂは、それらの先端部４５１・４５１が第２ソケットハウジング４ｈの前面から僅かに突出している。一対の導電部材４５ａ・４５ｂの先端部４５１に人体が接触したときは、補強タブ２５ａ・２５ｂを介して、人体に帯電した電荷を第２プリント基板２ｐに逃がすことができる。
【０１１０】
（モジュラージャックの作用）
次に、第２実施形態によるジャック２０の構成を補足すると共に、ジャック２０の動作を説明しながら、ジャック２０の作用及び効果を説明する。
【０１１１】
図２７は、第２実施形態によるモジュラージャックの構成を示す図であり、図２７（Ａ）は、図２３のＡ−Ａ矢視断面図、図２７（Ｂ）は、図２７（Ａ）の要部拡大図である。図２８は、第２実施形態によるモジュラージャックの構成を示す図であり、図２８（Ａ）は、図２４のＡ−Ａ矢視断面図、図２８（Ｂ）は、図２８（Ａ）の要部拡大図である。
【０１１２】
図２９は、第２実施形態によるモジュラージャックの構成を示す図であり、図２５のＡ−Ａ矢視断面図である。図３０は、第２実施形態によるモジュラージャックの構成を示す図であり、図２６のＡ−Ａ矢視断面図である。
【０１１３】
図１８（Ａ）又は図１９（Ａ）に示すように、通常、ジャック２０は、第２筐体ｆ２の内部に収容されている。図１８（Ａ）又は図１９（Ａ）に示した状態では、第２上部ハウジング６の前面が第２筐体ｆ２の側面に設けた第２開口ｋ２を塞いでいる。
【０１１４】
図１８（Ａ）又は図１９（Ａ）に示した状態では、第２ベースコネクタ２に第２ソケットコネクタ４が嵌合している（図２０又は図２３参照）。図２７（Ｂ）を参照すると、第２溝２２ｄの奥側には、第３停止突起２３１を設けている。第３停止突起２３１は、第２突片４３１に係止して、第２ベースハウジング２ｈに対する第２ソケットハウジング４ｈの収納状態を拘束している。第２ベースハウジング２ｈに対して、第２ソケットハウジング４ｈを強い力で引くと、第２突片４３１は第３停止突起２３１を乗り越えることができる。
【０１１５】
プラグ９１をジャック２０に接続する場合は、最初に、第２ソケットコネクタ４を第２筐体ｆ２から引き出す。この場合、図２４又は図２５に示すように、第２上部ハウジング６の底面には、窪みを設けているので、第２ソケットコネクタ４を引き出すこと容易である。
【０１１６】
図１８（Ｂ）又は図１９（Ｂ）及び図２４は、第２ソケットコネクタ４を第２筐体ｆ２から完全に引き出した状態図である。この場合、図２８（Ｂ）に示すように、第２溝２２ｄの入口側には、第４停止突起２３２を設けているので、第２突片４３１が係止して、第２ベースハウジング２ｈに対する第２ソケットハウジング４ｈの引き出し状態を拘束している。第２ベースハウジング２ｈに対して、第２ソケットハウジング４ｈを強い力で引くと、第２突片４３１は第４停止突起２３２を乗り越えることができる。これにより、例えば、第２ベースコネクタ２の破損を防止できる。
【０１１７】
図１８（Ｂ）又は図１９（Ｂ）及び図２４に示された状態から、図１８（Ｃ）又は図１９（Ｃ）に示すように、第２上部ハウジング６を一方の方向に回転すると、第２上部ハウジング６を第２筐体ｆ２の外部に起立できる（図２５参照）。次に、連結部４３と第２上部ハウジング６の間にプラグ９１を挿入でき、プラグ９１をジャック２０に接続できる（図１８（Ｄ）又は図１９（Ｄ）参照）。
【０１１８】
図１８（Ｄ）又は図１９（Ｄ）に示された状態では、一対の係止爪９１ｎ・９１ｎが第２上部ハウジング６に設けた切り欠き溝６ｋに係止しているので（図２１参照）、プラグ９１を第２ソケットコネクタ４にロックできる。又、図１８（Ｄ）又は図１９（Ｄ）に示された状態では、コンタクト９１ｃ→第４コンタクト４２→第３コンタクト２１の経路を経て、プラグ９１と第２プリント基板２ｐとを電気的に接続している。
【０１１９】
プラグ９１の接続を解除する場合は、前述した手順と逆の手順でプラグ９１を解放でき、第２ソケットコネクタ４を第２筐体ｆ２の内部に収容できる。
【０１２０】
第２実施形態によるジャック２０は、第２上部ハウジング６を第２ソケットハウジング４ｈの前方に倒伏した状態では、第２ソケットコネクタ４を第２筐体ｆ２の内部に収容可能とし、第２上部ハウジング６及び第２ソケットハウジング４ｈを第２ベースハウジング２ｈの凹部２２に収容して、これらの上面が平坦に形成されるので、ジャック２０を低背化できる。又、第２実施形態によるジャック２０は、第１実施形１によるジャック１０と比べて、プリント基板の占有面積が小さいという利点がある。
【符号の説明】
【０１２１】
１  第１ベースコネクタ
１ｈ  第１ベースハウジング
１ｐ  第１プリント基板
３  第１ソケットコネクタ
３ｈ  第１ソケットハウジング
５  第１上部ハウジング
５ａ・５ｂ・５ｃ・５ｄ  リンク板
１０  ジャック（モジュラージャック）
１１  第１コンタクト
１１ａ  先端部（第１コンタクトの先端部）
１１ｂ  中間部（第１コンタクトの中間部）
１１ｃ  基端部（第１コンタクトの基端部）
１２  第１コンタクト配列部
１３  ガイドアーム
３１  第２コンタクト配列部
３２  第２コンタクト
３２ａ  屈曲部（第２コンタクトの屈曲部）
３３  基部
９１  プラグ（モジュラープラグ）
９１ｃ  コンタクト（相手側コンタクト）
９１ｈ  プラグハウジング
９１ｒ  ロックレバー
ｆ１  第１筐体
ｋ１  第１開口
ｐｃｍ  平行クランク機構
ｓ１  第１スロット
【図１】
2014060007.tif 000003
【図２】
2014060007.tif 000004
【図３】
2014060007.tif 000005
【図４】
2014060007.tif 000006
【図５】
2014060007.tif 000007
【図６】
2014060007.tif 000008
【図７】
2014060007.tif 000009
【図８】
2014060007.tif 000010
【図９】
2014060007.tif 000011
【図１０】
2014060007.tif 000012
【図１１】
2014060007.tif 000013
【図１２】
2014060007.tif 000014
【図１３】
2014060007.tif 000015
【図１４】
2014060007.tif 000016
【図１５】
2014060007.tif 000017
【図１６】
2014060007.tif 000018
【図１７】
2014060007.tif 000019
【図１８】
2014060007.tif 000020
【図１９】
2014060007.tif 000021
【図２０】
2014060007.tif 000022
【図２１】
2014060007.tif 000023
【図２２】
2014060007.tif 000024
【図２３】
2014060007.tif 000025
【図２４】
2014060007.tif 000026
【図２５】
2014060007.tif 000027
【図２６】
2014060007.tif 000028
【図２７】
2014060007.tif 000029
【図２８】
2014060007.tif 000030
【図２９】
2014060007.tif 000031
【図３０】
2014060007.tif 000032
【図３１】
2014060007.tif 000033
【図３２】
2014060007.tif 000034